(57)【要約】【課題】様々な紙のサイズが、移動するポケットによりよく収容されることを可能にし、ポケットの調節可能性を改善する。【解決手段】軌道と、該軌道に沿って走行する少なくとも１つのポケットとが設けられており、該ポケットが、シート材料を収容するためのベース区分と、上部区分とを有しており、該上部区分が、シート材料の縁部を保持するための少なくとも１つの上部グリッパを有しており、該少なくとも１つの上部グリッパが、掴み位置と非掴み位置との間で可動であり、前記上部区分が、ベース区分に対する少なくとも１つの上部グリッパの距離を変化させるためにベース区分に対して可動である。【選択図】　　　図１
2004035266.tif 000002
【特許請求の範囲】
【請求項１】
シート材料搬送装置において、
軌道と、
該軌道に沿って走行する少なくとも１つのポケットとが設けられており、該ポケットが、シート材料を収容するためのベース区分と、上部区分とを有しており、該上部区分が、シート材料の縁部を保持するための少なくとも１つの上部グリッパを有しており、該少なくとも１つの上部グリッパが、掴み位置と非掴み位置との間で可動であり、前記上部区分が、ベース区分に対する少なくとも１つの上部グリッパの距離を変化させるためにベース区分に対して可動であることを特徴とする、シート材料搬送装置。
【請求項２】
前記上部グリッパが、上部区分における軸を中心に回転可能である、請求項１記載の装置。
【請求項３】
前記ポケットが、ベース区分に対して上部区分を移動させるための設定機構を有している、請求項１記載の装置。
【請求項４】
前記設定機構が、上部区分又はベース区分の一方に結合されたカムフォロアを有している、請求項３記載の装置。
【請求項５】
前記設定機構がシャフトを有しており、該シャフトに前記カムフォロアが結合されており、シャフトが回転することにより、上部区分とベース区分との間の距離が設定されるようになっている、請求項４記載の装置。
【請求項６】
前記設定機構を所定の距離に保持するためのラッチが設けられている、請求項３記載の装置。
【請求項７】
前記上部グリッパが、回転可能であるが、上部区分に対して並進方向で定置である、請求項１記載の装置。
【請求項８】
ポケットの上部グリッパの距離を設定する方法において、
軌道に沿って複数のポケットを移動させ、
上部グリッパが回転軸を中心に回転させることによってシート製品を掴み、
ポケットのベース区分からの上部グリッパの回転軸の距離を調節するステップから成ることを特徴とする、ポケットの上部グリッパの距離を設定する方法。
【請求項９】
前記調節するステップが、移動させるステップと同時に行われる、請求項８記載の方法。
【発明の詳細な説明】
【０００１】
【発明の属する技術分野】
本発明は、概して、例えば新聞紙を搬送するためのシート搬送装置、特に、軌道上で移動するポケットを有するシート搬送装置に関する。
【０００２】
【従来の技術】
米国特許第５３４３８０６号明細書は、枚葉印刷機の、旋回可能な予備グリッパを開示しており、一般的なグリッパに関する背景として引用される。
【０００３】
米国特許第４７２３７７０号及び第６３１１９６８号明細書は、印刷された材料の第２のセットが印刷された材料の第１のセットに挿入されるように、印刷された材料の第１のセットを開放させておくためのトップグリッパを示している。これらのトップグリッパの回転軸は、ポケットに対して固定されている。米国特許第４７２３７７０号、第５３４３８０６号及び第６３１１９６８号明細書は、引用により本願に組み込まれる。
【０００４】
ポケットのサイズを調節するために、下部ストッパの位置を変化させることが知られている。
【０００５】
【特許文献１】
米国特許第５３４３８０６号
【特許文献２】
米国特許第４７２３７７０号
【特許文献３】
米国特許第６３１１９６８号
【０００６】
【発明が解決しようとする課題】
本発明の課題は、様々な紙のサイズが、移動するポケットによりよく収容されることを可能にすることである。本発明の別の択一的な又は付加的な課題は、ポケットの調節可能性を改良することである。
【０００７】
【課題を解決するための手段】
本発明は、軌道に沿って走行する少なくとも１つのポケットが設けられており、このポケットが、シート材料を収容するためのベース区分と、シート材料の縁部を保持するための少なくとも１つの上部グリッパを含む上部区分とを有しており、少なくとも１つの上部グリッパが、掴み位置と非掴み位置との間で可動であり、上部区分が、ベース区分に対する少なくとも１つの上部グリッパの距離を変化させるためにベース区分に対して可動であるような、シート材料搬送装置を提供する。
【０００８】
ベース区分に対して上部グリッパの位置を変化させることによって、ポケットの底部又はストッパを調節する必要なしに、可変の製品幅に対応することができる。さらに、ポケットの前部に対して、グリッパをより正確に配置する個々とができる。
【０００９】
有利には、上部グリッパは、上部区分における軸を中心に回転可能である。
【００１０】
ポケットは、有利には、ベース区分に対して上部区分を移動させるための設定機構を有している。
【００１１】
設定機構は、有利には、上部区分又はベース区分の一方に結合されたカムフォロアを有している。カムフォロアは、設定機構のシャフトに接続されていてよく、シャフトが回転することによって、上部区分とベース区分との間の距離が設定される。
【００１２】
有利には、設定機構を、カムフォロアによって設定された距離に保持するために、ラッチを設けることができる。
【００１３】
有利には、上部グリッパは、回転可能であるが、上部区分に対して並進方向では定置である。
【００１４】
本発明は、軌道に沿って複数のポケットを移動させ；
回転軸を中心に上部グリッパを回転させることによってシート製品を掴み；
ポケットのベース区分からの上部グリッパの回転軸の距離を調節するステップを有する、ポケットの上部グリッパの距離を設定するための方法をも提供する。
【００１５】
有利には、調整ステップは、例えばカムとカムフォロアとの相互作用によって、移動ステップと同時に行われる
以下に本発明の実施の形態を図面を参照に説明する。
【００１６】
【発明の実施の形態】
図１は、複数のポケット２０を搬送するための無限軌道１０を有するシート材料搬送装置１００の概略図を示している。各ポケット２０は、ポケット背部２４を備えたベース区分２２と、上部区分２８とを有している。
【００１７】
印刷された製品又はシート材料３０、例えば新聞紙折丁は、ポケット２０の開口へ差し込まれてよい。シャフト４２を中心に回転可能な上部グリッパ４０は、上部区分２８に対して並進方向で定置であってよい。上部グリッパは、開放位置若しくは非掴み位置と、掴み位置とを有しており、この掴み位置において、シート材料３０が例えば広げられて保持され、これにより、別の折丁がシート材料３０に挿入されてよい。
【００１８】
上部区分２８にはカムフォロア５０が設けられており、このカムフォロア５０は、軌道１０の側部に設けられた定置のカム５２と相互作用する。カム５２の高さは調節可能であってよい。
【００１９】
図２は、カム５２を通過したポケット２０の結果を示している。カム５２の高さに応じて、カムフォロア５０がカム５２によって回転させられると、上部区分２８とベース区分２２との間に距離Ｄが形成される。ベース区分２２に固定された支持体１４２が、上部区分２８を距離Ｄにおいて支持する。
【００２０】
図３、図４及び図５に示したように、カムフォロア５０が回転することにより、シャフト４４が、シャフト４４に固定された歯車４６，１４６を回転させる。歯車４６，１４６はそれぞれ支持体４２，１４２の歯が設けられた側と相互作用し、これらの支持体は、ベース区分２２に固定されている。シャフト４４は、上部区分２８の側壁に軸受５２，１５２によって回転可能に支持されているが、上部区分２８に対して並進方向で定置である。
【００２１】
カムフォロア４１が、グリッパ４０を開閉させてよい。
【００２２】
図５に示したように、歯車１４６がＢの方向に回転することにより、上部区分２８は、支持体１４２及びベース区分２２に対して移動する。支持体１４２又は上部区分２８に取り付けられた軸受２９は、上部区分２８の摺動を助けてよい。
【００２３】
したがって、カムフォロア５０と、シャフト４４と、歯車４６，１４６と、支持体４２，１４２とは、上部区分２８とベース区分２２との間の距離Ｄを変化させるための設定機構を規定していてよい。
【００２４】
図４に示したように、ラッチ７０は、ポケット２０がカム５２を通過した後（図１参照）でさえも、距離Ｄを維持してよい。シャフト４４は、図５に示したＢの方向とは反対方向に回転するように、すなわち距離Ｄを閉鎖して上部区分２８をベース区分２２に対して当接させるように、ばね５４，１５４によってばね負荷されていてよい。ラッチ７０は、同様に図３に示したように、カムフォロア６４によって回転可能な、シャフト６２に固定された爪６３を有していてよい。シャフト６２は、上部区分２８の側壁に設けられた軸受６６によって支持されていてよい。爪６３は、図６に示したように、シャフト４４に固定されたラチェット６０と相互作用する。
【００２５】
したがって、高さＤを設定するために、全てのポケット２０は、カムフォロア６４を介して爪６３を解放させるためにカムを通過することができる。したがって、シャフト４４は、ばね５４，１５４のばね作用によって、Ｂの方向（図５）の方向とは反対の方向Ｃ（図６）に回転し、これにより、上部区分２８がベース区分２２に対して当接する。次いで、カム５２は、所望の高さに設定され、ポケット２０は、軌道１０上でカム５２を通過させられ、これにより、カムフォロア５０は、シャフト４４を回転させ、ベース区分２２に対する上部区分２８の距離を設定する。
【００２６】
次いで、シート材料は、開口２６内に挿入されてよく、シート材料の上縁部が、上部グリッパ４０によって掴まれる。
【図面の簡単な説明】
【図１】本発明によるシート材料搬送装置を示す概略図である。
【図２】上部区分が新たな距離を有する、図１のポケットを示す図である。
【図３】ポケットの前面の概略図であり、分かり易くするために幾つかのエレメントが省略されている。
【図４】本発明の設定機構の一部を示す概略図である。
【図５】本発明の設定機構を示す概略的な断面図である。
【図６】図４のＡ−Ａ線に沿って見た断面図である。
【符号の説明】
１００　シート材料搬送装置、　１０　無限軌道、　２０　ポケット、　２２ベース区分、　２４　ポケット背部、　２８　上部区分、　３０　印刷されたシート材料、　４０　上部グリッパ、　４１　カムフォロア、　５０　カムフォロア、　５２　カム、　４２，１４２　支持体、　４４　シャフト、　４６，１４６　歯車、　５２，１５２　軸受、　５４，１５４　ばね、　６０　ラチェット、　６２　シャフト、　６３　爪、　６４　カムフォロア、　７０　ラッチ
【図１】
2004035266.tif 000003
【図２】
2004035266.tif 000004
【図３】
2004035266.tif 000005
【図４】
2004035266.tif 000006
【図５】
2004035266.tif 000007
【図６】
2004035266.tif 000008